(57)【要約】【課題】  本発明は部品点数が少なく、構造が簡単で、組立てが容易にできるとともに、故障が少なく、ジヨー部が折れても容易に回収することができる、安価に製造することができる手術用処置具を得るにある。【解決手段】  体腔壁内の穴に挿通して体腔に挿入され得る挿入管と、この挿入管の先端部に取付けられた、常時開放方向に付勢されるように一体成形された一対のジヨー部を有するジヨー部材と、このジヨー部材の中央部に一体成形された、該ジヨー部材の一対のジヨー部間に位置する支柱と、この支柱の先端部寄りの部位の支持部に支持され、該支持部よりも前記挿入管寄りの部位の前記一対のジヨー部にそれぞれ形成された貫通孔を通過して、前記挿入管の先端部のＹ字状の溝より内部へ導かれた開閉用紐と、この開閉用紐を前記一対のジヨー部が閉じる方向に移動させる開閉用紐移動機構とで手術用処置具を構成している。【選択図】  図１
2013085748.tif 000002
【特許請求の範囲】
【請求項１】
体腔壁内の穴に挿通して体腔に挿入され得る挿入管と、この挿入管の先端部に取付けられた、常時開放方向に付勢されるように一体成形された一対のジヨー部を有するジヨー部材と、このジヨー部材の中央部に一体成形された、該ジヨー部材の一対のジヨー部間に位置する支柱と、この支柱の先端部寄りの部位の支持部に支持され、該支持部よりも前記挿入管寄りの部位の前記一対のジヨー部にそれぞれ形成された貫通孔を通過して、前記挿入管の先端部のＹ字状の溝より内部へ導かれた開閉用紐と、この開閉用紐を前記一対のジヨー部が閉じる方向に移動させる開閉用紐移動機構とからなることを特徴とする手術用処置具。
【請求項２】
ジヨー部材の中央部には一対のジヨー部が常時外方へ位置するように付勢する補助バネが設けられていることを特徴とする請求項１記載の手術用処置具。
【請求項３】
一対のジヨー部に形成された貫通孔は開閉用紐がスムーズに移動できるように外側下部が弧状になるように形成されていることを特徴とする請求項１、請求項２いずれかに記載の手術用処置具。
【請求項４】
挿入管の先端部寄りの部位は可撓性の少なくとも１個のチューブで接続されているとともに、少なくとも２本以上の曲用紐伸縮で挿入管の先端部を曲げられるように構成されていることを特徴とする請求項１、２、３のいずれかに記載の手術用処置具。
【発明の詳細な説明】
【技術分野】
【０００１】
本発明は体腔壁内の穴あるいは、内視鏡のチャンネルに挿通して体腔に挿入して使用される手術用処置具に関する。
【背景技術】
【０００２】
従来、この種の手術用処置具は先端部の開閉させることのできる一対のジヨー部を、外周部にガイド溝を形成したアクチュエータを回転させることにより、一対のジヨー部に形成された前記ガイド溝と係合する係合部材の移動によって、一対のジヨー部の開閉を行なっている。
【０００３】
このため、構造が複雑で、部品点数が多く、組立てに手数がかかり、コスト高になるという欠点があった。
【０００４】
また、一対のジヨー部がねじれるとアクチュエータのガイド溝から係合部材が外れたり、アクチュエータの下側に物が入るとアクチュエータが動かなくなり、開いたままとなり、トカロールから取り出せなくなったり、ジヨー部が折れたら回収できなくなったりするという欠点があった。
【先行技術文献】
【特許文献】
【０００５】
【特許文献１】特開平６−３４３６４４号公報
【発明の概要】
【発明が解決しようとする課題】
【０００６】
本発明は以上のような従来の欠点に鑑み、部品点数が少なく、構造が簡単で、組立てが容易にできるとともに、故障が少なく、ジヨー部が折れても容易に回収することができる、安価に製造することができる手術用処置具を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、１例として、本発明は体腔壁内の穴に挿通して体腔に挿入され得る挿入管と、この挿入管の先端部に取付けられた、常時開放方向に付勢されるように一体成形された一対のジヨー部を有するジヨー部材と、このジヨー部材の中央部に一体成形された、該ジヨー部材の一対のジヨー部間に位置する支柱と、この支柱の先端部寄りの部位の支持部に支持され、該支持部よりも前記挿入管寄りの部位の前記一対のジヨー部にそれぞれ形成された貫通孔を通過して、前記挿入管の先端部のＹ字状の溝より内部へ導かれた開閉用紐と、この開閉用紐を前記一対のジヨー部が閉じる方向に移動させる開閉用紐移動機構とで手術用処置具を構成している。
【発明の効果】
【００１０】
以上の説明から明らかなように、本発明にあっては次に列挙する効果が得られる。
（１）請求項１により、開閉用紐移動機構の操作により、一対のジヨー部を閉じることができる。
したがって、従来のようにガイド溝を形成したアクチュエータを用いるものに比べ、構造が簡単で、確実に開閉動作をさせることができ、かつ低コストで製造することができる。
（２）前記（１）により、一対のジヨー部にそれぞれ形成された貫通孔に開閉用紐を通過させているので、ジヨー部材が破損しても開閉用紐が貫通孔に通っていれば、容易に回収することができる。
（３）前記（１）によって、常時開放方向に付勢されるように一体形成されたジヨー部を有するジヨー部材を用いているので、ジヨー部材の取付け作業が容易で、楽に、正確に行なうことができる。
（４）請求項２も前記（１）〜（３）と同様な効果が得られるとともに、補助バネによって、より確実に一対のジヨー部を常時開放方向に付勢することができる。
（５）請求項３も前記（１）〜（３）と同様な効果が得られるとともに、開閉用紐の引っ張りや回転でスムーズに一対のジヨー部の開閉をさせることができる。
（６）請求項４も前記（１）〜（３）と同様な効果が得られるとともに、少なくとも１個の可撓性のチューブと、少なくとも２本以上の曲用紐の伸縮で挿入管の先端部を曲げることができる。
【図面の簡単な説明】
【００１１】
【図１】本発明を実施するための第１の形態の一部破断正面図。
【図２】本発明を実施するための第１の形態の一部破断平面図。
【図３】図１の３−３線に沿う断面図。
【図４】図２の要部断面図。
【図５】本発明を実施するための第１の形態のジヨー部を閉じた状態の動作説明図。
【図６】本発明を実施するための第１の形態の右方向へ回動させた状態の動作説明図。
【図７】本発明を実施するための第１の形態の左方向へ回動させた状態の動作説明図。
【図８】本発明を実施するための第２の形態の一部破断正面図。
【図９】本発明を実施するための第２の形態の要部拡大断面図。
【図１０】本発明を実施するための第２の形態の要部説明図。
【図１１】本発明を実施するための第３の形態の一部破断正面図。
【図１２】本発明を実施するための第３の形態の要部拡大断面図。
【図１３】本発明を実施するための第３の形態の要部説明図。
【図１４】本発明を実施するための第４の形態の一部破断正面図。
【図１５】本発明を実施するための第４の形態の要部拡大断面図。
【図１６】本発明を実施するための第４の形態の閉じた状態の要部拡大断面図。
【図１７】本発明を実施するための第４の形態の要部説明図。
【図１８】本発明を実施するための第５の形態の一部破断正面図。
【図１９】本発明を実施するための第５の形態の要部拡大断面図。
【図２０】本発明を実施するための第５の形態の要部説明図。
【発明を実施するための形態】
【００１２】
以下、図面に示す本発明を実施するための形態により、本発明を詳細に説明する。
【００１３】
図１ないし図７に示す本発明を実施するための第１の形態において、１は体腔壁内の穴に挿通して体腔に挿入して使用される本発明の手術用処置具で、この手術用処置具１は体腔壁内の穴に挿通して体腔に挿入される生体親和性の高いＰＥＥＫ、ＰＴＦＥ、ＰＣＢ等の樹脂製の挿入管２と、この挿入管２の後端部に取付けられた操作部３と、前記挿入管２の先端部に取付けられた、常時開放方向に付勢される弾性材で一体成形された一対のジヨー部４、４を有するジヨー部材５と、このジヨー部材５の中央部に一体成形された、該ジヨー部材５の一対のジヨー部４、４間に位置する支柱６と、この支柱６の先端部寄りの部位に形成された支持部７と、前記一対のジヨー部４、４で前記支持部７よりも後方寄りの部位にそれぞれ形成された一対の貫通孔８、８と、前記支柱６の支持部７に中央部が支持され、両端が前記一対のジヨー部４、４の貫通孔８、８を通過し、前記挿入管２の先端部に形成したＹ字状の溝９を通過して、前記操作部３に接続されるナイロン、ケブラー等のテグス等の糸で形成された開閉用紐１０と、この開閉用紐１０を前記一対のジヨー部４、４が閉じる方向に移動させる開閉用紐移動機構１１とで構成されている。
【００１４】
前記挿入管２は中央部に前記開閉用紐１０が通過する開閉用紐通過孔１２が形成され、両端部に左右の曲げ紐用の通過孔１３、１３が形成された後端部が前記操作部３に接続される挿入管本体１４と、この挿入管本体１４の先端部に左右の回動する回動機構１５を介して取付けられた前記ジヨー部材５が取付けられる先端挿入管１６とからなり、前記回動機構１５は前記挿入管本体１４の先端部に形成された開閉用紐通過孔１２を有する接続パイプ１７と、この接続パイプ１７に一端部に挿入された外周部にコイルバネ１８が巻き付けられた可撓性のチューブ１９と、このチューブ１９の他端部に挿入された前記先端挿入管１６に形成された開閉用紐通過孔１２を有する接続パイプ２０と、前記先端挿入管１６の後端部に一端部がそれぞれ固定され、他端部が前記挿入管本体１４の左右の曲げ紐用の貫通孔１３、１３に挿入された左右の曲げ紐２１、２１とで構成されている。
【００１５】
この左右の曲げ紐２１、２１は挿入管２の内側の挿入管本体１４側に近い側で固定されている。
【００１６】
前記操作部３は前記挿入管２の挿入管本体１４の後端部に挿入管固定ユニット２２を備える親指かけ２３を有するグリップ２４と、このグリップ２４に枢支ピン２５で枢支された中指かけ２６を有する前記開閉用紐１０を開閉方向に移動させる開閉用紐移動機構１１としての開閉用アーム２７と、前記挿入管固定ユニット２２の後方に位置する、前記グリップ２４に形成された凹部２８に挿入された前記左右の曲げ紐２１、２１の通過孔２９、２９が形成された角度調整用ステー３０と、この角度調整用ステー３０を覆うように前記グリップ２４に軸３１で回転可能に取付けられ、かつ前記角度調整用ステー３０の通過孔２９、２９を通過した左右の曲げ紐２１、２１を、前記軸３１より離れた位置で固定されるダイヤル３２とで構成されている。
【００１７】
上記構成の手術用処置具１は開閉用アーム２７を後方へ回動させることにより、開閉用紐１０は挿入管２および挿入管固定ユニット２２を通過して後方へスライド移動する。
【００１８】
この開閉用紐１０の後方へのスライド移動によって、先端部の支柱６の支持部７に支持されている部分を中心に、開閉用紐１０がジヨー部材５の一対のジヨー部４、４の貫通孔８、８を通過して後方へスライド移動することにより、一対のジヨー部４、４を閉じることができる。
【００１９】
また、ダイヤル３２を回転させることにより、該ダイヤル３２の軸心と偏心位置に設置した角度調整用ステー３０の通過孔２９、２９を通過して、該ダイヤル３２に取付けられた左右の曲げ紐２１、２１を引っ張ったり、ゆるめたりする。
【００２０】
すなわち、引っ張られた曲げ紐側へ回動機構１５を介して先端挿入管１６を回動させることができるので、左右方向へ先端挿入管１６を回動させることができる。  
【００２１】
[発明を実施するための異なる形態]
次に、図８ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図８ないし図１０に示す本発明を実施するための第２の形態において、前記本発明を実施するための第１の形態と主に異なる点は、挿入管本体１４の先端部の開閉用紐通過孔１２の外周部に形成された左右の曲げ紐２１、２１を通過させる左右の曲げ紐用の通過孔１３、１３と連通する接続パイプ３３、３３と、この接続パイプ３３、３３に一端部が挿入され、外周部にコイルバネ１８、１８が巻き付けられた可撓性のチューブ１９、１９と、この可撓性のチューブ１９、１９内を通過させて先端挿入管１６の後端部に左右の曲げ紐２１、２１を接続した回動機構１５Ａを用いた点で、このような回動機構１５Ａを用いた手術用処置具１Ａにしても、前記本発明を実施するための第１の形態と同様な作用効果が得られる。
【００２３】
図１１ないし図１３に示す本発明を実施するための第３の形態において、前記本発明を実施するための第２の形態と主に異なる点は、開閉用紐通過孔１２と左右の曲げ紐用の通過孔１３、１３を横一列に形成するとともに、先端部に可撓性のチューブ１９、１９と接続される軸状の接続部材３４、３４を形成した挿入管本体１４Ａと、後端部に可撓性のチューブ１９、１９と接続される軸状の接続部材３５、３５を形成した先端挿入管１６Ａを用いて回動機構１５Ｂを構成した点で、このように構成した回動機構１５Ｂを用いて構成した手術用処置具１Ｂにしても、前記本発明を実施するための第２の形態と同様な作用効果が得られる。
【００２４】
図１４ないし図１７に示す本発明を実施するための第４の形態において、前記本発明を実施するための第１の形態と主に異なる点は、焼しゃく用電気バサミとして使用できるように一対のジヨー部４、４に接続しないように通電用の金属、例えばタングステン、ＮｉＴｉ合金、ＳＵＳ等をコーティングした金属コーティング部３６、３６を形成し、該金属コーティング部３６、３６と導通するように導体３７、３７を配置した先端部挿入管１６Ｂと、この先端部挿入管１６Ｂの導体３７、３７と接続される導体で形成された左右の曲げ紐２１Ａ、２１Ａを用い、該左右の曲げ紐２１Ａ、２１Ａのダイヤル３２に位置する端部をコネクタ３８に接続されたコード３９、３９で接続した点で、このように一対のジヨー部４、４に電気を供給して焼しゃく用電気バサミとして使用できる手術用処置具１Ｃにしても、前記本発明を実施するための第１の形態と同様な作用効果が得られる。
【００２５】
なお、金属コーティング部３６、３６は一対のジヨー部４、４が閉じた時にショートしない位置関係になっている。
【００２６】
図１８ないし図２０に示す本発明を実施するための第５の形態において、前記本発明を実施するための第１の形態と主に異なる点は、グリップ２４部に挿入管固定ユニット２２を通過した開閉用紐１０の端部が固定される回転可能な開閉用紐移動機構としての開閉用紐回転ダイヤル４０を取付けた点で、この開閉用紐回転ダイヤル４０を回転させることにより、開閉用紐１０がねじられ、一対のジヨー部４、４間の開閉用紐１０の長さが短くなって一対のジヨー部４、４を閉じることができる。このように構成した手術用処置具１Ｄにしても、前記本発明を実施するための第１の形態と同様な作用効果が得られる。
【産業上の利用可能性】
【００２７】
本発明は体腔壁内の穴に挿通して体腔に挿入して使用される手術用処置具を製造する産業で利用される。
【符号の説明】
【００２８】
１、１Ａ、１Ｂ、１Ｃ、１Ｄ：手術用処置具、
２：挿入管、        ３：操作部、
４：ジヨー部、        ５：ジヨー部材、  
６：支柱、        ７：支持部、
８：貫通孔、        ９：Ｙ字状の溝、
１０：開閉用紐、      １１：開閉用紐移動機構、
１２：開閉用紐通過孔、    １３：曲げ紐用の通過孔、
１４、１４Ａ：挿入管本体、  １５、１５Ａ、１５Ｂ：回動機構、
１６、１６Ａ、１６Ｂ：先端挿入管、
１７：接続パイプ、      １８：コイルバネ、
１９：チューブ、      ２０：接続パイプ、
２１、２１Ａ：曲げ紐、    ２２：挿入管固定ユニット、
２３：親指かけ、      ２４：グリップ、
２５：枢支ピン、      ２６：中指かけ、
２７：開閉用アーム、    ２８：凹部、
２９：通過孔、      ３０：角度調整ステー、
３１：軸、        ３２：ダイヤル、
３３：接続パイプ、      ３４：接続部材、
３５：接続部材、      ３６：金属コーティング部、
３７：導体、        ３８：コネクタ、
３９：コード、      ４０：開閉用紐回転ダイヤル。
【図１】
2013085748.tif 000003
【図２】
2013085748.tif 000004
【図３】
2013085748.tif 000005
【図４】
2013085748.tif 000006
【図５】
2013085748.tif 000007
【図６】
2013085748.tif 000008
【図７】
2013085748.tif 000009
【図８】
2013085748.tif 000010
【図９】
2013085748.tif 000011
【図１０】
2013085748.tif 000012
【図１１】
2013085748.tif 000013
【図１２】
2013085748.tif 000014
【図１３】
2013085748.tif 000015
【図１４】
2013085748.tif 000016
【図１５】
2013085748.tif 000017
【図１６】
2013085748.tif 000018
【図１７】
2013085748.tif 000019
【図１８】
2013085748.tif 000020
【図１９】
2013085748.tif 000021
【図２０】
2013085748.tif 000022